(57)【要約】【課題】高い透明性と剛性を備え、容器内の液量確認や、粉末を水に溶解する際の解け具合の確認が容易で、持ちやすく、医療用溶液の濃度を高い精度で調整できる容器を備えた利便性に優れた経管用キットを提供すること。【解決手段】  出入口と、胴部と、出入口から胴部に向かって円錐状に広がるテーパ部と、外面に隆起または陥没して設けられた水の量を量るための液量確認目盛とを備え、液量確認目盛が、胴部に設けられた標準濃度用目盛と、テーパ部に設けられた低濃度用目盛とからなる容器１と、出入口に取り付けられる蓋部と、蓋部から突出して設けられ、先端が経管内に挿入される導入部とを備えた経管用トップ１０と、経管用トップ１０が取り付けられた容器１を経管用トップ１０の導入部１２を露出して収納する収納部と、容器１を経管用トップ１０を下に向けて懸架台に吊り下げるための吊り下げ部２２とを備えたバッグ２０とを備える。  【選択図】        図８
2006122525.tif 000002
【特許請求の範囲】
【請求項１】
利用時に所定量の粉末を所定量の水に溶解することにより調製される医療用溶液のためのポリエチレンテレフタレートからなる容器であって、出入口と、胴部と、前記出入口から前記胴部に向かって円錐状に広がるテーパ部と、外面に隆起または陥没して設けられた前記水の量を量るための液量確認目盛とを備え、前記液量確認目盛が、前記胴部に設けられた標準濃度用目盛と、前記テーパ部に設けられた低濃度用目盛とからなる容器と、
前記出入口に取り付けられる蓋部と、前記蓋部から突出して設けられ、先端が経管内に挿入される導入部とを備えた経管用トップと、
前記経管用トップが取り付けられた前記容器を前記経管用トップの前記導入部を露出して収納する収納部と、前記容器を前記経管用トップを下に向けて懸架台に吊り下げるための吊り下げ部とを備えたバッグとを備えることを特徴とする経管用キット。
【請求項２】
前記容器の中に所定量の栄養剤成分粉末が収納され、開閉可能な蓋によって密閉されていることを特徴とする請求項１に記載の経管用キット。
【請求項３】
前記液量確認目盛が、外面の全周に渡って設けられていることを特徴とする請求項１または２に記載の経管用キット。
【請求項４】
前記懸架台に吊り下げられた前記容器に穴をあけるための穴あけ器具を備えることを特徴とする請求項１ないし３のいずれかに記載の経管用キット。
【請求項５】
前記穴あけ器具が、頭部と針部とからなる画鋲状の穴あけピンと、前記穴あけピンを前記頭部を露出させて取り囲むガードと、一端に前記ガードが設けられ、他端に前記針部と対向する押圧部が設けられた半円状のグリップとを備え、
前記グリップの内側に前記容器をはめ込み、前記頭部と前記押圧部とを押圧することにより前記ガードから前記針部を突出させて前記容器に穴をあけるものであることを特徴とする請求項４に記載の経管用キット。
【発明の詳細な説明】
【技術分野】
【０００１】
本発明は、医療用溶液の経管用キットに関し、より詳細には、持ちやすく、医療用溶液の濃度を高い精度で調整できる利便性に優れた容器を用いる経管用キットに関する。
【背景技術】
【０００２】
一般に、クローン病患者や肝不全患者などに用いられる医療用の栄養剤は、利用時に栄養剤成分粉末を水に溶解することにより調製されている。調製方法としては、容器の中に所定量の栄養剤成分粉末とあらかじめ計量しておいた所定量の水とを入れて調製する方法や、液量表示目盛を備えた容器の中に所定量の栄養剤成分粉末を入れた後、液量表示目盛を利用して所定量の水を入れて調製する方法などが用いられている。調製時に用いられる調製用の容器は、栄養剤の投与に用いられる投与用の容器と別の容器が用いられる場合もあるし、調製時の汚染防止や利便性から投与用の容器を兼ねる場合もある。調製濃度は、一般にはあらかじめ決定された標準濃度となるように調製されるが、投与開始時には、標準濃度より低濃度となるように調製され、患者の状態を考慮して徐々に濃度を高めて標準濃度に達するようにされる。調製された栄養剤は、経口投与または経管投与されている。
【０００３】
また、医療用の栄養剤用の容器としては、一般にポリニチレンやポリプロピレンからなるものが用いられてきた。ポリプロピレンは、成形時の可塑剤の使用量が少なくて済むため、容器から収納物への溶出に対する安全性が高く、液状の物を収納する医療用の容器として広く使用されている。
また、ポリプロピレンは、低コストで機械的強度や耐熱性に優れ、リサイクルが容易であることから、食品、文具等の包装材として広く使用されている。しかし、ポリプロピレンは、透明性が劣るため使用が制限されていた（例えば、特許文献１を参照）。また、ポリプロピレンは、引張弾性率や曲げ弾性率が低く、剛性が劣るものであった。
【特許文献１】特開平８−２１７８８９号公報
【発明の開示】
【発明が解決しようとする課題】
【０００４】
従来の栄養剤用の容器は、ポリプロピレンからなるものであるため、透明性が低く、容器内の液量の確認や、栄養剤成分粉末を水に溶解する際の解け具合の確認がしづらいものであった。
また、従来の栄養剤用の容器は、ポリプロピレンからなるものであるため、引張弾性率や曲げ弾性率が低く、容器を持ったときに手から加わる力により容易に変形してしまう。このため、従来の栄養剤用の容器は、手に持ったときの安定感に欠け、持ちにくかった。また、従来の栄養剤用の容器は、手に持ったときの容器の変形により栄養剤が溢れてしまわないように、容器の上部の栄養剤を入れない空間を十分に確保しなければならなかった。
【０００５】
また、従来の栄養剤用の容器に設けられた液量表示目盛は、容器内の液量を表示するために複数設けられたものであるので、液量表示目盛を利用して調製時の水の量を量る場合、栄養剤成分粉末の量や調製濃度に対応する利用すべき目盛がどの目盛であるのかを、作業者が複数の目盛のうちから見つけ出す必要があり、作業性が悪かった。さらに、従来の栄養剤用の容器は、容器の変形しやすさや透明性の低さにより、目盛を利用して調製時の水の量を量った場合の濃度の誤差が大きかった。
【０００６】
本発明は、上記の事情に鑑みてなされたものであって、高い透明性と剛性を備え、容器内の液量確認や、粉末を水に溶解する際の解け具合の確認が容易で、持ちやすく、医療用溶液の濃度を高い精度で調整できる容器を備えた利便性に優れた経管用キットを提供することを目的とする。
【課題を解決するための手段】
【０００７】
上記の目的を達成するために、本発明の経管用キットは、利用時に所定量の粉末を所定量の水に溶解することにより調製される医療用溶液のためのポリエチレンテレフタレートからなる容器であって、出入口と、胴部と、前記出入口から前記胴部に向かって円錐状に広がるテーパ部と、外面に隆起または陥没して設けられた前記水の量を量るための液量確認目盛とを備え、前記液量確認目盛が、前記胴部に設けられた標準濃度用目盛と、前記テーパ部に設けられた低濃度用目盛とからなる容器と、前記出入口に取り付けられる蓋部と、前記蓋部から突出して設けられ、先端が経管内に挿入される導入部とを備えた経管用トップと、前記経管用トップが取り付けられた前記容器を前記経管用トップの前記導入部を露出して収納する収納部と、前記容器を前記経管用トップを下に向けて懸架台に吊り下げるための吊り下げ部とを備えたバッグとを備えることを特徴とする。
【０００８】
本発明の経管用キットは、ポリエチレンテレフタレートからなる容器を備えているので、容器の透明性が従来のポリプロピレンからなる容器と比較して優れたものとなる。したがって、容器内の液量確認や、粉末を水に溶解する際の解け具合の確認が容易なものとなる。
また、ポリエチレンテレフタレートはポリプロピレンと比較して、引張弾性率や曲げ弾性率が高い。したがって、本発明の経管用キットが備える容器は、従来のポリプロピレンからなる容器と比較して、高い剛性を備えたものとなる。よって、本発明の経管用キットが備える容器は、従来の容器と比較して、手に持ったときの安定感に優れ、持ちやすいものとなるとともに、持っただけで溢れてしまうことを防ぐために必要である容器の上部の医療用溶液を入れない空間を少なくすることができる。さらに、本発明の経管用キットが備える容器は、従来の容器と比較して、容器の変形による液量確認時の誤差が生じにくく、医療用溶液の濃度を高い精度で調整できる。
【０００９】
また、本発明の経管用キットは、容器が水の量を量るための液量確認目盛を備えているので、容器の中に所定量の粉末を入れ、液量確認目盛を利用して所定量の水を入れて粉末を溶解するだけで医療用溶液の調製ができる利便性に優れたものとなる。
さらに、本発明の経管用キットによれば、容器の液量確認目盛が、胴部に設けられた標準濃度用目盛と、テーパ部に設けられた低濃度用目盛とからなるものであるため、どの目盛が利用すべき目盛であるのかを医療用溶液を調製する作業者が容易に認識することができる作業性に優れたものとなる。
さらに、本発明の経管用キットでは、容器の低濃度用目盛がテーパ部に設けられているので、医療用溶液の調製時に容器の中に水を入れて液面を上昇させ、液面を低濃度用目盛に近づけていくと、低濃度用目盛に液面が近づくに従って水の注入量に対する液面上昇の変化量が大きくなる。このため、低濃度用目盛に液面が近づくに従って、高精度な液量確認が可能となり、医療用溶液の調製精度を向上させることができる。
【００１０】
また、本発明の経管用キットは、出入口に取り付けられる蓋部と、前記蓋部から突出して設けられ、先端が経管内に挿入される導入部とを備えた経管用トップと、前記経管用トップが取り付けられた前記容器を前記経管用トップの前記導入部を露出して収納する収納部と、前記容器を前記経管用トップを下に向けて懸架台に吊り下げるための吊り下げ部とを備えたバッグとを備えるものであるので、調製された医療用溶液を調整時に使用した容器に入れたまま、経管に接続可能な状態で懸架台に吊り下げることができ、容易に経管投与が開始できる。
【００１１】
また、上記の経管用キットにおいては、容器の中に所定量の栄養剤成分粉末が収納され、開閉可能な蓋によって密閉されていることが望ましい。
このような経管用キットによれば、容器の中に所定量の水を入れて栄養剤成分粉末を溶解するだけで特別な器具などを用いることなく栄養剤の調製ができる利便性に優れたものとなる。また、栄養剤成分粉末の溶解時に蓋を用いることにより、容器を持って振る方法により栄養剤をこぼすことなく容易に溶解できるので、非常に簡単に栄養剤の調製を行うことができる。
【００１２】
また、上記の経管用キットにおいては、容器の液量確認目盛が外面の全周に渡って設けられていることが望ましい。このような経管用キットによれば、液量確認目盛と液面とが平行であるか否かが容易に確認できるものとなり、医療用溶液の濃度を高い精度で調整できる。
【００１３】
また、上記の経管用キットにおいては、懸架台に吊り下げられた前記容器に穴をあけるための穴あけ器具を備えることが望ましい。このような経管用キットによれば、懸架台に吊り下げられた容器に穴をあけることができるものとなり、経管投与による医療用溶液の減少により生じる容器内の圧力低下が投与に支障を来すことを防止できる。
【００１４】
また、上記の経管用キットにおいては、穴あけ器具が、頭部と針部とからなる画鋲状の穴あけピンと、前記穴あけピンを前記頭部を露出させて取り囲むガードと、一端に前記ガードが設けられ、他端に前記針部と対向する押圧部が設けられた半円状のグリップとを備え、グリップの内側に前記容器をはめ込み、前記頭部と前記押圧部とを押圧することにより前記ガードから前記針部を突出させて前記容器に穴をあけるものであることが望ましい。
このような経管用キットでは、穴あけピンを頭部を露出させて取り囲むガードを備えているので、未使用時の穴あけピンが周囲に損傷を与えることが防止できる。また、グリップの内側に容器をはめ込むことによって、針部と押圧部とを対向して配置することができ、容易に穴あけ器具を容器の外面上における所定の位置に位置合わせすることができる。また、頭部と押圧部とを押圧することにより容器に穴をあけることができる。例えば、一方の手で容器を支持しながら、他方の手に穴あけ器具を持って容器の外面上における所定の位置に位置合わせし、穴をあける場合と比較して、非常に容易に穴をあけることができる。
【発明の効果】
【００１５】
本発明によれば、容器内の液量確認や、粉末を水に溶解する際の解け具合の確認が容易で、持ちやすく、医療用溶液の濃度を高い精度で調整できる容器を備えた利便性に優れた経管用キットを提供することができる。
【発明を実施するための最良の形態】
【００１６】
以下、本発明の実施の形態について、図面を用いて説明する。
本実施形態の経管用キットは、容器と、経管用トップと、バッグと、穴あけ器具とを備えたものである。
図１は、本発明の経管用キットを構成する容器の一例を示す側面図であり、図２は、図１に示す標準濃度用目盛の拡大図であり、図３は、図１に示す低濃度用目盛の拡大図である。図４は、本発明の経管用キットを構成する経管用トップの一例を示す斜視図であり、図５は、本発明の経管用キットを構成するバッグの一例を示す平面図であり、図６は、本発明の経管用キットを構成する穴あけ器具の一例を示す斜視図である。図７は、図６に示す穴あけ器具の一部示す拡大断面図である。図８は、懸架台に容器を経管用トップを下に向けて吊り下げた状態を示した図である。
【００１７】
図１に示す容器１は、医療用の栄養剤のためのものであり、ポリエチレンテレフタレートからなる。また、容器１は、出入口２と、円筒形の胴部３と、内容物表示ラベル（図示略）を設置するために胴部３に備えられた凹部６と、出入口２から胴部３に向かって円錐状に広がるテーパ部４と、液量確認目盛５とを備えている。液量確認目盛５は、凹部６の全周に渡って設けられた標準濃度用目盛５ａと、テーパ部４の全周に渡って設けられた低濃度用目盛５ｂとからなる。また、液量確認目盛５は、栄養剤の調製に用いられる水の量を量る際に使用されるものであり、図２および図３に示すように、外面に隆起して設けられたものである。
【００１８】
また、図１に示す容器１は、中に所定量の栄養剤成分粉末（図示略）が収納され、開閉可能な蓋（図示略）によって密閉されている。
【００１９】
図１に示す容器１においては、胴部３の外径Ａは６０〜７０ｍｍ、胴部３の肉厚Ｃは  ０.３ｍｍ以上とされている。胴部３の外径Ａが６０ｍｍを越えても７０ｍｍ未満であっても、手で持ちにくいものとなる。また、肉厚Ｃが０.３ｍｍ未満であると十分な剛性が得られない場合が生じる。
なお、容器１の底面から出入口の上端までの高さＢは、１６０ｍｍ〜２００ｍｍが好ましく、より好ましくは１７０〜１９０ｍｍである。
【００２０】
容器１の容量は４００〜５００ｍｌであり、より好ましくは４００〜４８０ｍｌである。また、低濃度用目盛５ｂが容器１内に３８０〜４８０ｍｌ入っていることを示す位置に設けられている。容器１の容量が４００ｍｌ未満であると、一度に調製するのに好適な量が１つの容器１内に収納できなくなり、利便性が低下する。また、容器１の容量が５００ｍｌを越えると、容器１の大きさが大きくなり、携帯性が悪くなる。また、低濃度用目盛５ｂが容器１内に３８０ｍｌ未満入っていることを示す場合、一度に調製するのに好適な量が１つの容器１内に収納できなくなる恐れが生じるとともに、容器１内に栄養剤で満たされない無駄な空間が多くなり好ましくない。低濃度用目盛５ｂが容器１内に４８０ｍｌを越えて入っていることを示す場合、調製時や投与時にこぼしやすいものとなるため好ましくない。
【００２１】
また、標準濃度用目盛５ａの示す容量と低濃度用目盛５ｂの示す容量との比は、１：１．３５〜１：１．１６とされ、１：１．３５未満であると栄養剤の投与開始時に対応しうる十分な低濃度の栄養剤を調整できない場合がある。１：１．１６を越えると、標準濃度に調製した場合の容器内の無駄な空間が多くなり好ましくない。
【００２２】
図４に示す経管用トップ１０は、出入口に取り付けられる蓋部１１と、前記蓋部１１から突出して設けられ、先端が経管内に挿入される導入部１２と、導入部１２に被せて用いられる着脱可能なトップ蓋１３とを備えたものである。経管用トップ１０は、特に限定されないが、好ましくは、ポリプロピレン、ポリエチレン、ポリエチレンテレフタレートなどによって形成される。
【００２３】
図５に示すバッグ２０は、経管用トップ１０が取り付けられた容器１を経管用トップ１０の導入部１２を露出して収納する収納部２１と、前記容器１を経管用トップ１０を下に向けて懸架台に吊り下げるため吊り下げ部２２とを備えたものである。収納部２１は、図１に示す容器１より一回り大きな袋状の本体２３と、本体２３の底に設けられた経管用トップ１０の導入部１２を露出させるための穴２４とを備えている。吊り下げ部２２は、本体の開口部に近い位置に設けられた２つの穴からなる。２つの穴は、懸架台を構成する吊り下げフックの大きさに対応する大きさとされている。
バッグ２０は、特に限定されないが、好ましくは、ポリエチレン、ポリプロピレンなどによって形成され、容器内の液量確認などが容易なものとするため、透明性を有することが望ましい。
【００２４】
図６に示す穴あけ器具３０は、懸架台に吊り下げられた容器１に穴をあけるためのものである。穴あけ器具３０は、図６および図７に示すように、頭部３１と針部３２とからなる画鋲状の穴あけピン３３と、穴あけピン３３を頭部３１を露出させて取り囲むガード３４と、一端にガード３４が設けられ、他端に針部３２と対向する押圧部３７が設けられた半円状のグリップ３５とを備えている。穴あけピン３３は、図６および図７に示すように弾力性を有する支持部材３６によってガード３４から頭部３１が露出した状態でグリップ３５に取り付けられ、支持部材３６の弾力性によって頭部３１が押圧されたときのみ、針部３２がガード３４から突出するようになっている。
図６に示す穴あけ器具３０は、特に限定されないが、好ましくは、シリコン樹脂、ポリエチレン、ポリプロピレンなどによって形成される。
【００２５】
図１に示す容器１を用いて標準濃度の栄養剤を調製するには、例えば、蓋を開けて標準濃度用目盛５ａまたは低濃度用目盛５ｂまで水を入れ、図４に示す経管用トップ１０を導入部１２にトップ蓋１３を被せた状態で取り付け、容器を手に持って振り、容器の中にあらかじめ収納されている所定量の栄養剤成分粉末を溶解する方法によって行われる。
調製された栄養剤を経管投与するには、例えば、図５に示すバッグ２０の収納部２１に、経管用トップ１０が取り付けられている容器１を穴２４から導入部１２を露出して収納する。続いて、図８に示すように、懸架台４０の吊り下げフック４１に吊り下げ部２２を取り付けることにより、容器１を経管用トップ１０を下に向けて懸架台４０に吊り下げる。そして、トップ蓋１３を外し、導入部１２の先端を経管４２内に挿入することにより、導入部１２と経管４２とを接続する。その後、図６に示す穴あけ器具３０のグリップ３５の内側に、容器１をバッグ２０に収納したままはめ込み、頭部３１と押圧部３７とを押圧することによりガード３４から針部３２を突出させ、バッグ２０を貫通して容器１に穴をあけ、経管４２に取り付けたクランプ（図示略）を開くことによって経管投与が開始される。
【００２６】
このような経管用キットは、容器内の液量確認や、粉末を水に溶解する際の解け具合の確認が容易で、持ちやすく、医療用溶液の濃度を高い精度で調整できる容器を備えた利便性に優れたものである。
また、経管用キットは、容器１の胴部３に、内容物表示ラベルを設置するための凹部６を備えるので、凹部６に設置した内容物表示ラベルが凹部６からずれにくいものとなる。
また、経管用キットは、容器１の胴部３の外径Ａを６０〜７０ｍｍ、胴部３の肉厚Ｃを０.３ｍｍ以上としたので、手で持ちやすく、十分な剛性を有する容器１を備えた利便性に優れたものとなる。
【００２７】
また、容器１の容量を４００〜５００ｍｌ、低濃度用目盛５ｂが容器１内に３８０〜４８０ｍｌ入っていることを示す位置に設けられている容器を備えているので、一度に使用される量を調整するのに好適な利便性に優れた容器１を備えたものとなる。
本発明者は、医療用溶液の一つである栄養剤の一度に使用される量から一度に調製するのに好適な量が標準濃度で２５０〜４８０ｍｌであることを見出し、上記した好適な容器の容量と低濃度用目盛を設ける位置を見出した。栄養剤は、少量ずつ調製すると調製回数が多くなって手間がかかる。しかし、栄養剤は、衛生上の問題から６時間程度の短時間で投与し終えることが望ましく、一度に大量に調製しておき少量ずつ投与することはできない。したがって、栄養剤は、一度に使用される量毎に調製することが望ましい。
【００２８】
本発明は、上述した例に限定されるものではなく、例えば、図６および図７に示した穴あけ器具３０に代えて図９に示す穴あけ器具を使用できる。以下に図９に示す穴あけ器具が図６および図７に示す穴あけ器具３０と異なるところは、支持部材３６がない点、ガード５４に頭部５１の上部５１ｂのみを露出する開口５７が形成されている点、ガード５４内にばね５５を備える点、ガード５４の押圧部３7と対抗する面に、ばね５５の外径よりも小さい内径を有するストッパー５６がガード５４と一体化されて設けられている点、穴あけピン５３の頭部５１に外形が開口５７の内径よりも大きい鍔５１ａが設けられ、ばね５５が鍔５１ａとストッパー５６との間に挟まれている点である。そして、図９に示す穴あけ器具は、ばね５５の弾性により、ガード５４から頭部５１の上部５１ｂのみが露出した状態とされ、頭部５１が押圧されたときのみ、針部５２がガード５４から突出するようになっている。
また、図９に示す穴あけ器具は、図６および図７に示す穴あけ器具３０と同様に使用することができ、グリップ３５の内側に、容器１をバッグ２０に収納したままはめ込み、頭部５１と押圧部３７とを押圧することにより、ガード５４から針部５２を突出させて容易に容器１に穴をあけることができる。
【００２９】
上述した実施形態においては、容器の中に所定量の栄養剤成分粉末が収納され、開閉可能な蓋によって密閉されている容器について説明したが、本発明は、上述した例に限定されるものではなく、栄養剤を調製する際に所定量の栄養剤成分粉末を入れて使用してもよい。
また、上述した実施形態においては、液量確認目盛が外面に隆起して設けられた容器について説明したが、本発明は、上述した例に限定されるものではなく、液量確認目盛が外面に陥没して設けられた容器であってもよい。
また、上述した実施形態においては、円筒形の容器について説明したが、本発明は、上述した例に限定されるものではなく、楕円形や角柱形の容器とすることもできる。
さらに、上述した実施形態においては、栄養剤のための容器について説明したが、本発明の容器は、上述した例に限定されるものではなく、医療用溶液を収納する容器としても使用できる。
【００３０】
次に、本発明の経管用キットを構成する容器の実施例および比較例を示して本発明を詳細に説明する。
「実施例」
胴部の外径Ａ６５ｍｍ、高さＢ１７６.５ｍｍ、胴部の肉厚Ｃ０．５６ｍｍ、容器の容量４６１ｍｌの図１に示す容器１に水を３００ｍｌ入れて蓋をし、以下に示す調査を行った。
「従来例」
長軸８０ｍｍ、短軸６５ｍｍ、高さ２００ｍｍの楕円柱状のポリプロピレンからなる容器（「エレンタール」１本１３３ｇ入りの容器、味の素株式会社製）に水を５００ｍｌ入れて蓋をし、実施例と同様にして調査を行った。
【００３１】
「調査内容」
持ちやすさ、内容物の視認性、振りやすさ
「調査対象」
２２歳〜６７歳の男女２８人。男女比は男：女＝１５：１３であった。
「判断方法」
実施例と比較例のうち、より利便性があると考えた方に１点加点し、どちらとも判断がつけられない場合には加点しない。  
その結果を表1に示す。
【００３２】
【表１】
2006122525.tif 000003
【００３３】
表１に示すように、持ちやすさについては、２８人中２４人が実施例に加点した。内容物の視認性については、２８人中１６人が実施例に加点した。振りやすさについては、２８人中２３人が実施例に加点した。よって、実施例が従来例と比較して利便性に優れていることが確認できた。
また、実施例に用いたポリエチレンテレフタレートおよび従来例に用いたポリプロピレンについて、引張弾性率および曲げ弾性率を調べた。その結果、ポリエチレンテレフタレートの引張弾性率は１９６１〜２０５９ＭＰａ、曲げ弾性率は２３５４〜２８４４ＭＰａであった。これに対し、ポリプロピレンの引張弾性率は１１０８〜１５４９ＭＰａ、曲げ弾性率は１５８９〜１８６３ＭＰａであった。したがって、ポリエチレンテレフタレートはポリプロピレンと比較して、引張弾性率や曲げ弾性率が高いことが確認できた。
【図面の簡単な説明】
【００３４】
【図１】図１は、本発明の経管用キットを構成する容器の一例を示す側面図である。
【図２】図２は、図１の部分の拡大図である。
【図３】図３は、図１の部分の拡大図である。
【図４】図４は、本発明の経管用キットを構成する経管用トップの一例を示す斜視図である。
【図５】図５は、本発明の経管用キットを構成するバッグの一例を示す平面図である。
【図６】図６は、本発明の経管用キットを構成する穴あけ器具の一例を示す斜視図である。
【図７】図７は、図６に示す穴あけ器具の一部示す拡大断面図である。
【図８】図８は、懸架台に容器を経管用トップを下に向けて吊り下げた状態を示した図である。
【図９】図９は、本発明にかかる穴あけ器具の第２の例を示す断面図である。
【符号の説明】
【００３５】
１：容器、２：出入口、３：胴部、４：テーパ部、５：液量確認目盛、５ａ：標準濃度用目盛、５ｂ：低濃度用目盛、６：凹部、１０：経管用トップ、１１：蓋部、１２：導入部、１３：トップ蓋、２０：バッグ、２１：収納部、２２：吊り下げ部、２３：本体、２４：穴、３０：穴あけ器具、３１、５１：頭部、３２、５２：針部、３３、５３：穴あけピン、３４、５４：ガード、３５：グリップ、３６：支持部材、３７：押圧部、４０：懸架台、４１：吊り下げフック、４２：経管、５５：ばね、５６：ストッパー、５７：開口
【図１】
2006122525.tif 000004
【図２】
2006122525.tif 000005
【図３】
2006122525.tif 000006
【図４】
2006122525.tif 000007
【図５】
2006122525.tif 000008
【図６】
2006122525.tif 000009
【図７】
2006122525.tif 000010
【図８】
2006122525.tif 000011
【図９】
2006122525.tif 000012